(57)【要約】      （修正有）【課題】外観を良好にでき、簡単な構成で作業性を良好にできる照明器具を提供する。【解決手段】照明器１は、取付部を有する長尺状の器具本体２と、器具本体２の長手方向に配置される発光素子を覆う本体カバー４と、器具本体２の取付部より外側の領域に配置され、発光素子を発光させる電気を供給する電源と、器具本体２の長手方向にスライド可能であり、取付部及び電源を覆う端部カバー３とを備える。端部カバー３を器具本体２の長手方向における中心と反対方向にスライドすると、取付部は露出するが、電源は露出しないように、端部カバーの可動範囲が制限されている。【選択図】図１
0003186404.tif 000002
【実用新案登録請求の範囲】
【請求項１】
取付部を有する長尺状の器具本体と前記器具本体の長手方向に配置される発光素子を覆う本体カバーと前記器具本体の前記取付部より外側の領域に配置され、前記発光素子を発光させる電気を供給する電源と前記器具本体の長手方向にスライド可能であり、前記取付部及び前記電源を覆う端部カバーと、を備え、前記端部カバーを前記器具本体の長手方向における中心と反対方向にスライドすると、前記取付部は露出するが、前記電源は露出しないように、前記端部カバーの可動範囲が制限されていることを特徴とする照明器具。
【請求項２】
前記端部カバーの前記器具本体の設置面側に形成される長孔と、前記器具本体の長手方向における端部で前記長孔内に配置される前記端部カバーのスライドを停止するスライド制御部と、を備え、前記スライド制御部が、前記長孔内の端部と接することで前記端部カバーのスライドが停止することを特徴とする請求項１記載の照明器具。
【請求項３】
前記端部カバーは前記本体カバーと略同径であることを特徴とする請求項1又は２に記載の照明器具。 
【考案の詳細な説明】
【技術分野】
【０００１】
本考案は、特にＬＥＤを光源として取付け面に設置される照明器具に関する。
【背景技術】
【０００２】
白熱電球や蛍光灯は、その照度の高さや経済性から、一般家庭の照明用として従来より広く用いられている。しかしながら、近年、その消費電力が大きいことが問題になっている。このため、白熱電球や蛍光灯に代えて、少ない消費電力でこれらと同等の照度を得ることが可能なＬＥＤ（Ｌｉｇｈｔ  Ｅｍｉｔｔｉｎｇ  Ｄｉｏｄｅ：発光ダイオード）素子を光源として用いた照明が普及してきている。
【０００３】
蛍光灯においては、例えば細長い円筒形状（直管型）のガラス管の内部の両端に電極が設けられ、この電極間に商用電源の交流１００Ｖが印加されて発光する。このため、両端部にはそれぞれ２本のピンが設けられ、これらのピンが蛍光灯の固定具に設けられた端子に係止されることによって、蛍光灯が固定具に固定される。この際、固定具の端子には商用電源が接続され、このピンは、蛍光灯に対する通電と、蛍光灯の機械的固定の２つの役割を果たす。蛍光灯における両端部の電極とピンとは直接接続され、両端部の電極間の細長い領域がほぼ一様に発光する。
【０００４】
これに対して、ＬＥＤ照明器具において直接発光するのは、数ｍｍ角程度の小さなＬＥＤ素子である。ただし、照明器具あるいは発光領域の形態としては、蛍光灯と同様の広がりをもつことが好ましい。このため、ＬＥＤ照明器具においては、蛍光灯における直管の長手方向に対応する方向にこのＬＥＤ素子が多数配列される。また、蛍光灯とは異なり、ＬＥＤ素子は低電圧の直流で動作するのに対し、一般に普及している商用電源（交流１００Ｖ）をＬＥＤ照明器具の電源としても用いることが好ましい。このため、ＬＥＤ照明器具においては、商用電源の交流１００Ｖをこれよりも低い直流電圧に変換する電源回路も付属しているのが一般的である。更に、各ＬＥＤ素子や電源回路は動作時に発熱するため、この放熱を行うための放熱板等も用いられる。
【０００５】
こうした構成を具備するため、ＬＥＤ照明器具は、全体として蛍光灯と比べて重くなる。一方で、蛍光灯もＬＥＤ照明器具も、一般的には家屋における天井に設置される場合が多い。こうした場合において、重いＬＥＤ照明器具は従来の蛍光灯と比べて天井への設置が困難という問題がある。
【０００６】
こうした点を考慮して、特許文献１において、ＬＥＤ照明器具の取付構造が提案されている。具体的には、端部に取付部を有する器具本体と、器具本体の取付部を開閉する端部カバーを備えるものである。このような構造とすることで、外観を良好にでき、簡単な構成で作業性を良好にできる照明器具が提供される。
【先行技術文献】
【特許文献】
【０００７】
【特許文献１】特開２０１２−６６６１０号公報
【考案の概要】
【考案が解決しようとする課題】
【０００８】
しかしながら、特許文献１に係る従来の照明器具においては、電源搭載部については何ら考慮されていなかった。上述した通り、ＬＥＤ照明器具においては、商用電源の交流１００Ｖをこれよりも低い直流電圧に変換する電源回路も付属しているのが一般的であり、電源搭載部を確保する必要がある。特許文献１に係る従来の照明器具に別途電源搭載部を確保しようとした場合、良好な外観を阻害してしまう。
【０００９】
本考案は、かかる問題点に鑑みてなされたものであり、上記問題点を解決する考案を提供することを目的とする。
【課題を解決するための手段】
【００１０】
上記の課題を解決するために、本考案は、以下に掲げる構成とした。すなわち、本考案にかかる照明器具は、取付部を有する長尺状の器具本体と前記器具本体の長手方向に配置される発光素子を覆う本体カバーと前記器具本体の前記取付部より外側の領域に配置され、前記発光素子を発光させる電気を供給する電源と前記器具本体の長手方向にスライド可能であり、前記取付部及び前記電源を覆う端部カバーとを備え、前記端部カバーを前記器具本体の長手方向における中心と反対方向にスライドすると、前記取付部は露出するが、前記電源は露出しないように、前記端部カバーの可動範囲が制限されていることを特徴とする。
【考案の効果】
【００１１】
本考案は以上のように構成されているので、天井や壁などへの照明器具を取付ける際の作業性が向上するとともに、良好な外観を提供でき、さらには作業時の安全性までも配慮した照明器具を提供できる。
【図面の簡単な説明】
【００１２】
【図１】本考案に係る照明器具を斜め下側から見た斜視図である。
【図２】本考案に係る照明器具のＡ−Ａ断面図である。
【図３】本考案に係る照明器具の端部カバーを取り除いた斜視図である。
【図４】本考案に係る照明器具を下側から見た図である。
【図５】本考案に係る照明器具を天井等への設置面側から見た図である。（ａ）は端部カバーが閉じた状態であり、（ｂ）は端部カバーが開いた状態である。
【考案を実施するための形態】
【００１３】
図１は、本考案に係る照明器具１を斜め下側から見た斜視図である。図１の矢印の方向（上側）には、例えば屋内であれば天井が存在し、矢印と反対方向（下側）は地面側である。照明器具１は、図１の矢印の方向に存在する天井若しくは壁面に取付けられる。
【００１４】
照明器具１の構造は、器具本体２に透光性を有する本体カバー４を備えている。そして、器具本体２の両端部には透光性を有しない端部カバー３を備える。
【００１５】
図１のＡ−Ａ破断線における断面図を図２に示す。図２の上側が天井や壁等への取り付け側（天井等への設置面）となる。器具本体２には発光素子５を搭載した基板１２が備えられており、この発光素子５から出射した光が透光性を有する本体カバー４を透過し、照明器具１は光を出射する。
【００１６】
次に、本考案の本質的部分である端部カバー３の構造及び機能について、図３〜図５を用いて説明する。
【００１７】
図３は、本考案に係る照明器具１の端部カバー３を取り除いた状態の図である。実際に照明器具１を使用する際は、端部カバー３は外れない構造となっているが、ここでは内部構造を説明するために端部カバー３を取り除いた状態の図を用いて説明する。端部カバー３に覆われる箇所、すなわち器具本体２の端部には、電源６が配置される。また、電源６と本体カバー４に挟まれた領域には、器具本体２を天井等へ取付けるための取付部として器具本体取付け孔７、さらにその隣にはケーブル通し孔８が形成されている。そして、電源６とケーブル通し孔８の間にはコネクタ９が設置されている。
【００１８】
照明器具１を天井等に取付ける際は、器具本体取付け孔７にボルトなどを用いて取付ける。ケーブル通し孔８は、電源６に印加する商用１００Ｖの交流電圧を照明器具１の外部から取り入れるために、ここでは図示しないケーブルを通すための孔であり、当該ケーブルはコネクタ９に接続される。電源６は、外部から取り入れた商用１００Ｖの交流電圧を直流の低電圧に変換し、基板１２を経由して発光素子５を発光させる。
【００１９】
図４は、本考案に係る照明器具１を下側から見た図であり、両端の端部カバー３が開いた状態を示している。端部カバー３は、器具本体２の長手方向にスライドさせることにより開閉可能となっている。なお、端部カバー３を器具本体２の長手方向における中心と反対方向にスライドさせると端部カバー３が開いた状態となる。一方で、端部カバー３を器具本体２の長手方向における中心に向かってスライドさせると端部カバー３が閉じた状態となるまた、端部カバー３を閉じた状態では、図１に示すように、端部カバー３の縁は本体カバー４の縁を覆いかぶさるようにして閉じられる。
【００２０】
図４に示すように、端部カバー３を最大限に開いた状態でも器具本体２の端部に配置される電源６は外部に露出しない。外部に露出するのは、照明器具１を天井等に取付ける際に使用する器具本体取付け孔７、ケーブル通し孔８及びコネクタ９の一部である。一方で、電源６は端部カバー３に覆われた状態を保っている。こうすることで、照明器具１を天井等に取付けようとする作業者が誤って電源６に触れて怪我をする恐れを回避できるようにしている。
【００２１】
図５は、本考案に係る照明器具１の天井等への設置面側から見た、端部カバー３のスライド部の構造を示したものである。図５（ａ）は端部カバー３を閉じた状態であり、図５（ｂ）は端部カバー３をスライドさせて開いた状態である。天井等への設置面側から見ると、端部カバー３には長孔１０が形成されている。この長孔１０の内縁側には、器具本体２の端部に固定され端部カバー３のスライドを停止するためのスライド制御部として、例えば、ねじ１１が配置されている。
【００２２】
端部カバー３が閉じた状態の時は、ねじ１１は長孔１０内の一方の端部（すなわち図５（ａ）でいうと右側）に位置しているが、端部カバー３を開くようにスライドさせると、図５（ｂ）に示すように、長孔１０内の他方の端部（すなわち図５（ｂ）でいうと左側）に接することで端部カバー３のスライドは停止するようになっている。この構造によって、端部カバー３が開きすぎて電源６が露出することを防止している。
【００２３】
なお、長孔１０は作業者の指が完全に挿入されない細さになっており、作業者が誤って長孔１０に指を挿入させて電源６に触れることがないように配慮している。
【符号の説明】
【００２４】
１  照明器具２  器具本体３  端部カバー４  本体カバー５  発光素子６  電源７  器具本体取付け孔８  ケーブル通し孔９  コネクタ１０  長孔１１  ねじ１２  基板  
【図１】
0003186404.tif 000003
【図２】
0003186404.tif 000004
【図３】
0003186404.tif 000005
【図４】
0003186404.tif 000006
【図５】
0003186404.tif 000007